(57)【要約】【課題】部品点数を削減した安価な温風供給手段を備えた洗濯機を提供する。【解決手段】後部洗濯蓋１５の略中央に通風部１４を設け、該通風部１４下方、後部洗濯蓋１５裏面にシーズヒータ２０，該シーズヒータ２０を収容したケーシング２１，安全装置たる温度ヒューズ２５，温度検知手段たるサーミスタ２６等から成る乾燥ユニット１９を取り付ける。前記ケーシング２１は、容器２２及び蓋体２３から成り、それぞれ通風部１４の穴部１４ａに対応した位置に穴部２８ａ，２９ａを有する開口部２８，２９が形成されている。【選択図】  図５
2004337406.tif 000002
【特許請求の範囲】
【請求項１】
外箱と、前記外箱内部に収容された水槽と、前記水槽に収容され、被洗濯物の洗濯、すすぎ、脱水及び乾燥に供する洗濯槽と、前記外箱上部に設けられ、被洗濯物を出し入れする開口部を有したトップカバーと、前記開口部を開閉可能に覆った洗濯蓋とを具備し、
前記洗濯蓋は、略中央に前記外箱内外を連通する通風部を形成し、該通風部に発熱体を備えたことを特徴とする洗濯機。
【請求項２】
発熱体は、上方に第１開口部、下方に第２開口部を形成した不燃性又は難燃性のケーシングに収容されていることを特徴とする請求項１記載の洗濯機。
【請求項３】
通風部には、所定の温度を超えると発熱体への電力供給を制限する安全装置を備えていることを特徴とする請求項１記載の洗濯機。
【請求項４】
安全装置は、発熱体近傍の温度に応じて動作する温度ヒューズから成ることを特徴とする請求項３記載の洗濯機。
【請求項５】
ケーシングは、第１開口部を形成した上面と後部洗濯蓋裏面との間に空間を設け、該第１開口部を通風部と鉛直方向にずらして配置したことを特徴とする請求項２記載の洗濯機。
【請求項６】
ケーシングは、断熱材によりその外周表面が覆われていることを特徴とする請求項２又は５のいずれかに記載の洗濯機。
【請求項７】
洗濯蓋の通風部には、その上面を覆う上部フィルタを着脱可能に設けたことを特徴とする請求項１乃至６のいずれかに記載の洗濯機。
【請求項８】
ケーシングは、第２開口部の下面側を覆う下部フィルタを設けたことを特徴とする請求項２，５，６，７のいずれかに記載の洗濯機。
【発明の詳細な説明】
【０００１】
【発明の属する技術分野】
本発明は、乾燥機能を備えた洗濯機に関する。
【０００２】
【従来の技術】
近年、被洗濯物の洗濯、すすぎ及び脱水に加え、温風等の送風によって乾燥もできるようにした攪拌式の洗濯乾燥機が供されている。
このような洗濯乾燥機では、機外から吸気した空気を内部のヒータにて加熱した後、温められた空気を送風ファンにて送風する温風供給装置を有しており、脱水行程の終了後に洗濯槽の中の被洗濯物に前記温風供給装置により温風を吹きつけ、かつ被洗濯物を若干攪拌することによりむらなく乾燥させるようにしている（例えば、特許文献１）。
【０００３】
【特許文献１】
特開２０００−３９１号公報（第３，４頁、図１）
【０００４】
【発明が解決しようとする課題】
しかしながら、上記のような乾燥機能を設けた洗濯機においては、外箱内にヒータ、送風ファン、ファンモータ、及び送風ファンからの温風を洗濯槽内に導くダクトを設けていたため、部品点数が多くなる結果、広い設置空間が必要になると共に、コストがかかっていた。
【０００５】
本発明は、上述の事情に鑑みてなされたものであり、従ってその目的は、送風ファン及びファンモータを使用せずに部品点数を削減しつつ、温風を供給する乾燥機能を備えた洗濯機を提供するにある。
【０００６】
【課題を解決するための手段】
上記の目的を達成するために、本発明の洗濯機は、外箱と、前記外箱内部に収容された水槽と、前記水槽に収容され、被洗濯物の洗濯、すすぎ、脱水及び乾燥に供する洗濯槽と、前記外箱上部に設けられ、被洗濯物を出し入れする開口部を有したトップカバーと、前記開口部を開閉可能に覆った洗濯蓋とを具備し、前記洗濯蓋は、略中央に前記外箱内外を連通する通風部を形成し、該通風部に発熱体を備えたことを特徴とする（請求項１の発明）。
【０００７】
斯かる構成によれば、洗濯槽の回転により生じる風の流れを利用して、洗濯蓋略中央の通風部から吸気し、この吸込んだ空気を発熱体によって温めるため、洗濯槽内に温風を供給することができる。しかも、吸気を洗濯蓋の略中央としたため洗濯槽と略同芯となり、吸気効率を高いものとすることができる。
【０００８】
また、請求項１記載のものにおいて、発熱体は、上方に第１開口部、下方に第２開口部を形成した不燃性又は難燃性のケーシングに収容されていることを特徴とする（請求項２の発明）。
【０００９】
斯かる構成によれば、ケーシングにより被洗濯物、異物、及びリント等が発熱体に付着することを防止するため、発熱体にそれらが付着することに起因した焼損を防止することができる。また、ケーシングは不燃性又は難燃性の材料から成っているため、該ケーシング自体が温度上昇によって発火する虞もない。
【００１０】
さらに、請求項１記載のものにおいて、通風部には、所定の温度を超えると発熱体への電力供給を制限する安全装置を備えていることを特徴とする（請求項３の発明）。
斯かる構成によれば、通風部に有する特にはケーシングが所定の温度以上に熱せられると、電源回路から発熱体への電力供給が制限されるため、安全性を確保することができる。
【００１１】
また、請求項３記載のものにおいて、安全装置は、発熱体近傍の温度に応じて動作する温度ヒューズから成ることを特徴とする（請求項４の発明）。
斯かる構成によれば、発熱体近傍、特にはケーシングに温度ヒューズが設けられているため、ケーシングが所定の温度に熱せられると、温度ヒューズが溶断し、電源回路から発熱体への電力供給が遮断されるため、特別な制御手段を使用せずに安全性を確保することができる。
【００１２】
さらに、請求項２記載のものにおいて、ケーシングは、第１開口部を形成した上面と後部洗濯蓋裏面との間に空間を設け、該第１開口部を通風部と鉛直方向にずらして配置したことを特徴とする（請求項５の発明）。
斯かる構成によれば、吸気をスムーズに行うことができることに加え、ケーシング内への異物やほこりの侵入を防止することができる。
【００１３】
また、請求項２又は５のいずれかに記載のものにおいて、ケーシングは、断熱材によりその外周表面が覆われていることを特徴とする（請求項６の発明）。
斯かる構成によれば、断熱材が発熱体からの熱伝導を遮断し、洗濯蓋の温度上昇を抑えるため、使用者や被洗濯物が触れたりすることを防止でき、以って、安全性の高い状態を保つことができる。
【００１４】
さらに、請求項１乃至６のいずれかに記載のものにおいて、洗濯蓋の通風部には、その上面を覆う上部フィルタを着脱可能に設けたことを特徴とする（請求項７の発明）。
斯かる構成によれば、通風部を介してケーシング内部へのほこりの侵入が上部フィルタによってより確実に防止される。また、上部フィルタは、後部洗濯蓋に対して着脱可能であるため、上部フィルタの目詰まり時には、後部洗濯蓋から取り外してほこり等を除去することができる。
【００１５】
また、請求項２，５，６，７のいずれかに記載のものにおいて、ケーシングは、第２開口部の下面側を覆う下部フィルタを設けたことを特徴とする（請求項８の発明）。
斯かる構成によれば、温風供給時に被洗濯物から発生したリント等が第２開口部からケーシング内に侵入することを防止することができる。また、下部フィルタは、ケーシングに対して着脱可能であるため、下部フィルタの目詰まり時には、ケーシングから取り外してリント等を除去することができる。
【００１６】
【発明の実施の形態】
（第１実施例）
以下に、本発明による洗濯機の第１実施例である乾燥機能付洗濯機について図１乃至図５を参照して説明する。
【００１７】
まず、図１は、本発明の第１実施例を示す洗濯機の一部を破断して示す側面図であり、この図に示すように洗濯機本体は、四角筒状の金属製の外箱１と、この外箱１の上端開口に装着したトップカバー２とにより洗濯機本体の外殻を構成し、該外箱１の内部には水槽３を配置している。この水槽３は、外箱１上端から吊り下げた四本（二本のみ図示）の吊り棒４にばね５を介して弾性支持されており、前記水槽３内部には洗濯槽６を回転可能に内設している。洗濯槽６の内底部には攪拌体７が設けられており、水槽３外底面に取付けられたモータ等から構成される駆動装置８により、回転軸９を介して洗濯槽６と攪拌体７が選択的に回転駆動されるようになっている。
【００１８】
次いで、図２及び図３の斜視図に示すように、前記トップカバー２は前記洗濯槽６への被洗濯物の出し入れが可能な開口部２ａを有するとともに、例えば二つ折り構造の洗濯蓋１０がその後面に設けられたヒンジ１０ａにより開閉可能に取り付けられている。また、トップカバー２の前部上面には、洗濯機の運転操作をするための操作パネル１１を設けており、この操作パネル１１の下部内方には制御装置１２が配置されている。
【００１９】
前記洗濯蓋１０は、把手１３ａを有した前部洗濯蓋１３及び略中央に通風部１４が形成された後部洗濯蓋１５から成り、互いがヒンジ部１６によって回動可能に設けられ、内側に折り畳むことができるようになっている。前記通風部１４は直径５ｍｍ程度の穴部が長方形状に配列したものであり、図３に示すように後部洗濯蓋１５の通風部１４裏面には、乾燥ユニット１９が配設されている。前記前部洗濯蓋１３及び前記後部洗濯蓋１５周縁には垂下壁状にフランジ部１７が形成されており、該フランジ部１７にはトップカバー２との間に隙間を設けるようにを切り欠き部１８が形成されている。
【００２０】
次いで、図４は、乾燥ユニット１９を一部分解して示す拡大図であり、該乾燥ユニット１９は、発熱体たるシーズヒータ２０、ケーシング２１を構成する容器２２及び蓋体２３等から構成されている。該シーズヒータ２０は、Ｕ字状をしており、ケーシング２１内部に位置し、端子部分２０ａが容器２２に形成された２つの孔部２２ａからケーシング２１外部に突出し、リード線２４を介して図示しない電力供給手段に接続されている。該リード線２４には、図５に示すように途中に安全装置として温度ヒューズ２５がコネクタ２４ａを介して取り付けられており、容器２２外部側面に配設されている。一方、孔部２２ｂには、シーズヒータ２０の周辺温度を検出するサーミスタ２６が取り付けられていて、該サーミスタ２６から延びたリード線２７によって制御装置１２に伝えられる。
【００２１】
図５は、乾燥ユニット１９の断面図であり、前記容器２２底部には、通風部１４の穴部１４ａに対応した位置に直径５ｍｍ程度の穴部２８ａが形成された第１開口部たる開口部２８があり、前記蓋体２３には、穴部１４ａと同程度の直径の穴部２９ａを多数有した第２開口部たる開口部２９が設けられている。
さて、容器２２及び蓋体２３には、両端部にそれぞれ１つのネジ穴２２ｃ，２３ａが形成されており、後部洗濯蓋１５に形成されたボス３０に容器２２のネジ穴２２ｃ，蓋体２３のネジ穴２３ａをそれぞれ合わせ、ネジ３１によってケーシング２１を後部洗濯蓋１５に固定している。
【００２２】
また、シーズヒータ２０、及びサーミスタ２６のリード線２４，２７は、後部洗濯蓋１５とトップカバー２との接続部であるヒンジ部１０ａを通して制御装置１２側の図示しないリード線と接続するようにしていて、洗濯蓋１０の開閉によってリード線２４，２７の屈曲部位に負担がかからないようになっており、以って断線することを防止している。
【００２３】
この様に構成された洗濯機の作用につき説明すると、操作パネル１１から設定操作することにより制御装置を介して洗い・すすぎ・脱水の各行程を順次実行するようになっている。まず、洗い行程においては、洗濯槽６内に被洗濯物を投入した後に、洗剤と共に水道水を図示しない給水弁を介して洗濯槽６内に供給し、所定の水量を貯水する。そしてその後に撹拌体７を駆動装置８により回転駆動して被洗濯物を撹拌し、以って被洗濯物の汚れを落とす洗い行程が実行される。
【００２４】
この洗い行程が終了すると、排水した後に、洗濯槽６を９００ｒｐｍ程度に高速回転させて中間脱水が行なわれる。これにより洗剤分を含んだ洗濯液の大半が被洗濯物から搾り出されて機外へ排出され、以ってその次のすすぎ行程を効率良く短時間に済ませることができるようにしている。そのすすぎ行程も、前記洗い行程と同様にして行なわれる。
そしてすすぎ行程が終了すると、次には仕上げの脱水行程が洗濯槽６を、例えば、９００ｒｐｍ程度に高速回転させることにより実行され、以って被洗濯物は脱水された状態となる。
【００２５】
さて、このようにして脱水行程まで完了した被洗濯物を乾燥するにあたり、洗濯機の乾燥行程の動作を以下に説明する。
【００２６】
図１に温風たる乾燥風の流れを矢印で示している。乾燥行程では、まず駆動装置８の駆動により洗濯槽６及び攪拌体７が脱水行程時と同じ回転速度にて回転し、これによって負圧となった洗濯槽６中央部に向かって外箱１外の空気が通風部１４及び開口部２８を介してケーシング２１内に吸込まれる（矢印Ａ）。吸込まれた空気は、通電され発熱しているシーズヒータ２０により加熱され、該空気は、開口部２９を通過して、洗濯槽６内に乾燥風として中央から供給され（矢印Ｂ）、該乾燥風が被洗濯物と接するうちに被洗濯物中の水分に気化熱を与えることにより被洗濯物から水分を蒸発させ、以って水分を奪うため、乾燥風は湿気を含んだ状態になる。その結果、暖かくかつ湿った空気は洗濯槽６内側面を上昇し（矢印Ｃ）、洗濯蓋１０周縁部のフランジ部１７に設けた切り欠き部１８とトップカバー２との間に形成された隙間から外箱１外に自然排気される（矢印Ｄ）。
【００２７】
上記した構成によれば、洗濯槽６の回転により生じる風の流れを利用して、洗濯蓋１０略中央の通風部１４から吸気し、この吸込んだ空気をシーズヒータ２０によって温めるため、送風ファン、ファンモータ等を用いずに洗濯槽６内に温風を供給し、以って被洗濯物を乾燥することができる。しかも通風部１４が洗濯蓋１０の略中央に設けてあり、その位置は洗濯槽６の中心と略一致しているためほぼ同芯となり、通風部１４を例えば操作パネル１１など周縁位置に設ける場合より効率良く吸気することができる。
【００２８】
またケーシング２１がシーズヒータ２０を覆う構造であり、被洗濯物、異物、及びリント等がシーズヒータ２０に付着することを防止するため、それらが発煙したりすることを防止できる。また、同様に使用者が、熱くなったシーズヒータ２０に誤って触れる危険性を排除することができる。更に、ケーシング２１は不燃性又は難燃性の材料から成っているため、ケーシング２１自体もシーズヒータ２０から熱の影響を受ける虞もない。
【００２９】
そしてケーシング２１が所定の温度以上例えば７５℃以上に熱せられ、サーミスタ２６がそれを検出すると、制御装置１２の制御により図示しない電源回路からシーズヒータ２０への電力供給が遮断され、その後ケーシング２１が所定の温度以下、例えば６５℃以下に低下すると電力供給が再開されるようになっており、本実施例ではこのようにして電力供給の制限を行っているため、安全性を確保することができる。更には、ケーシング２１が所定の温度例えば１２０℃以上に熱せられると、ケーシング２１に取り付けられた温度ヒューズ２５が熱によって溶断され、シーズヒータ２０への電力供給が遮断されるため、サーミスタ２６等の温度検知手段が故障等により機能しない場合にも安全性を確保することができる。
【００３０】
（第２実施例）
図６は、本発明の第２実施例を示す図５相当図で、上記した第１実施例とは次の点が異なっている。以下、上記第１実施例と同一部分には、同一符号を付して説明を省略し、異なる点のみ説明する。
【００３１】
このものは、開口部２８を後部洗濯蓋１５との間に距離にして約１０ｍｍ程度の空間を設け、さらに、通風部１４の穴部１４ａと開口部２８の穴部２８ａ同士の位置が鉛直方向に重ならないように配置し、異物やほこりが入らないようにしたもので、乾燥ユニット１９の構成にあっては図５に示す第１実施例と同じである。一方、後部洗濯蓋１５に形成したボス３２の位置を、例えば若干ヒンジ部１６側にずらし、穴部１４ａ及び穴部２８ａが互いに重なり合わないように配設した。しかるに、ボス３２を高さに関して約１０ｍｍ程度高くし、乾燥ユニット１９を取り付けた状態において後部洗濯蓋１５と容器２２上面との間に空間を設ける。
【００３２】
このように上記した第２実施例によれば、容器２２の上面と後部洗濯蓋１５裏面との間に空間を設けつつ、穴部２８ａと穴部１４ａの位置が鉛直方向に重ならないようにずらして配置しているため、吸気をスムーズに行うことができることに加え、ケーシング２１内への異物やほこりを侵入しにくくすることができる。
なお、本発明は上記しかつ図示した構成に限らず、通風部１４，穴部１４ａ，開口部２８，及び穴部２８ａの形状は、洗濯槽６への空気の吸込みさえスムーズに行えれば具体的にはどのような形状でもよく、また穴部２８ａと穴部１４ａとは完全に重ならないようにせず実質的に重ならない程度にずらすだけでもよい。
【００３３】
（第３実施例）
図７は、本発明の第３実施例を示す図５相当図で、上記した第１実施例とは次の点が異なっている。以下、上記第１実施例と同一部分には、同一符号を付して説明を省略し、異なる点のみ説明する。
【００３４】
このものは、ケーシング２１の周りを断熱材３３で覆い、洗濯蓋１０等周囲の温度上昇を抑えられるようにしたもので、図７に示すように乾燥ユニット１９自体の構成は図５に示す第１実施例と同じである。しかるに、図示しないボスの高さを高くし、容器２２上面と後部洗濯蓋１５裏面との隙間は約５ｍｍ程度に保たれており、該隙間を含むケーシング２１の周囲には、難燃性のフェルト等の断熱材３３が接着されていて、穴部２８ａ，２９ａに対応する箇所には断熱材３３にも穴３３ａ，３３ｂが設けられている。しかして、乾燥ユニット１９を後部洗濯蓋１５に取り付けた状態において、穴部１４ａ，３３ａ，２８ａが連通した状態になっている。
【００３５】
上記した第３実施例によれば、ケーシング２１を介したシーズヒータ２０からの熱伝導が断熱材３３にて遮断されるため、洗濯蓋１０等の周囲の温度上昇が抑えられ、使用者が高温となったケーシング２１や洗濯蓋１０に触れたり、被洗濯物がケーシング２１に触れたりすることを防止でき、以って、安全性の高い状態を保つことができる。
【００３６】
なお、本発明は上記しかつ図示した構成に限らず、断熱材３３としては、熱を伝えたくない側のケーシング２１を部分的に覆う程度でもよい。
【００３７】
（第４実施例）
以下に、本発明の第４実施例について図８乃至図１０を参照して説明する。
図８は本発明の第４実施例を示す洗濯蓋を閉めた状態の拡大斜視図、図９は乾燥ユニットの拡大斜視図、図１０は乾燥ユニットを含む洗濯蓋の要部断面図であり、上記した第１実施例とは次の点が異なっている。以下、上記第１実施例と同一部分には、同一符号を付して説明を省略し、異なる点のみ説明する。
【００３８】
このものは、図１０に示すように通風部１４及び開口部２８を介したほこりの侵入を防ぐための上部フィルタ３４及び開口部２９からのリントの侵入を防ぐための下部フィルタ３５が配設されている点と、蓋体２３及び後部洗濯蓋１５に下部フィルタ３５を取り付ける係止部が設けてある点のみが図５に示す第１実施例と異なる。
【００３９】
図８のように、上部フィルタ３４は樹脂製もしくは金属製の枠体３６，該枠体３６に突設された４つのリブ３７，目の細かい網目状の捕獲部３８から構成されている。一方、通風部１４周縁には互いに向かい合う２つの係止部３９が突設してあり、通風部１４上に載置された上部フィルタ３４は、洗濯蓋１０の開閉操作によっても外れないように係止されている。
【００４０】
次いで、図９のように、下部フィルタ３５は、屈曲可能な樹脂製もしくは金属性の枠体４０，該枠体４０に突設された２つのリブ４１，網目状の捕獲部４２から構成されている。蓋体２３周縁部には、２つずつ対向する係止部４３が一体に形成されていて、下部フィルタ３５は洗濯又は脱水時の振動，及び洗濯蓋１０の開閉による衝撃によっても脱落しない程度に係止されている。
【００４１】
しかして、使用者は上部フィルタ３４を外すときにはリブ３７を内方にたわませつつ引っ張ることにより、係止部３９から外れて後部洗濯蓋１５から脱離するようになっている。逆に、再び上部フィルタ３４を装着する際には、係止部３９の下側に枠体３６を押し込むことにより、通風部１４上面に嵌め込むことができる。また、下部フィルタ３５の場合も基本的には同様であり、洗濯蓋１０を開いた状態で、リブ４１を内方にたわませつつ引っ張ることにより、係止部４３が外れ、以って下部フィルタ３５を蓋体２３から取り外すことができる。逆に装着する際には、枠体４０を係止部４３に片側ずつ嵌めて押し込み、以って蓋体２３に固定する。
【００４２】
上記した第４実施例によれば、通風部１４を介したケーシング２１内部への異物やほこりの侵入が上部フィルタ３４によって未然に防止される。また、温風供給時に被洗濯物から発生したリント等が開口部２９からケーシング２１内に侵入することも下部フィルタ３５により防止することができる。さらに、上部フィルタ３４及び下部フィルタ３５は着脱可能であるため、目詰まり時に取り外して容易にリント等を除去することができる。
【００４３】
（第５実施例）
図１１は、本発明の第５実施例を示す図４相当図で、上記した第１実施例とは次の点が異なっている。以下、上記第１実施例と同一部分には、同一符号を付して説明を省略し、異なる点のみ説明する。
このものは、発熱体としてシーズヒータ２０の代わりに正特性サーミスタから成るＰＴＣヒータ４４を用いたものである。
【００４４】
上記した構成によれば、ＰＴＣヒータ４４は、通風部１４からの吸込みの風量に応じて発熱する特性を持つために、例えば、故障等によりＰＣＴヒータ４４の通電が解除できない状態に陥ったとしても、洗濯槽６の回転状態つまり吸気の状態に応じた発熱しかしないため、ＰＴＣヒータ４４の温度が異常に上昇することがないので、より安全性を向上させることができる。
【００４５】
【発明の効果】
以上述べたように、本発明によれば、洗濯槽の脱水回転によって洗濯蓋略中央に設けた通風部から吸気し、吸気された空気は発熱体によって温められるため、送風ファン、及びファンモータ等の部品を用いることなく洗濯槽内に温風を供給することができるという著効を奏する洗濯機を提供できる。
【図面の簡単な説明】
【図１】本発明の第１実施例を示す洗濯機の一部を破断して示す側面図
【図２】洗濯蓋を閉めた状態の斜視図
【図３】洗濯蓋を開いた状態の斜視図
【図４】乾燥ユニットの拡大分解図
【図５】乾燥ユニットを含む洗濯蓋の要部断面図
【図６】本発明の第２実施例を示す図５相当図
【図７】本発明の第３実施例を示す洗濯機の図５相当図
【図８】本発明の第４実施例を示す洗濯蓋を閉めた状態の拡大斜視図
【図９】本発明の第４実施例を示す乾燥ユニットの拡大斜視図
【図１０】本発明の第４実施例を示す図５相当図
【図１１】本発明の第５実施例を示す図４相当図
【符号の説明】
１  外箱
２  トップカバー
３  水槽
６  洗濯槽
１０  洗濯蓋
１３  前部洗濯蓋
１４  通風部
１４ａ，２８ａ，２９ａ  穴部
１５  後部洗濯蓋
１８  切り欠き部
１９  乾燥ユニット
２０  シーズヒータ
２１  ケーシング
２２  容器
２３  蓋体
２４，２７  リード線
２５  温度ヒューズ
２６  サーミスタ
２８，２９  開口部
３４  上部フィルタ
３５  下部フィルタ
３６，４０  枠体
３７，４１  リブ
３８，４２  捕獲部
３９，４３  係止部
４４  ＰＴＣヒータ
【図１】
2004337406.tif 000003
【図２】
2004337406.tif 000004
【図３】
2004337406.tif 000005
【図４】
2004337406.tif 000006
【図５】
2004337406.tif 000007
【図６】
2004337406.tif 000008
【図７】
2004337406.tif 000009
【図８】
2004337406.tif 000010
【図９】
2004337406.tif 000011
【図１０】
2004337406.tif 000012
【図１１】
2004337406.tif 000013